(57)【特許請求の範囲】
【請求項１】
靴の甲部に装着する湾曲させた板状の甲プロテクターであって、
左右方向に亘ってゆるやかな弧状を成すように形成した先部と、
上面の中央付近に前記先部から後方の端縁に亘る稜線部を設け、
当該稜線部を中心とした左右の側壁が成す角度を、後方に向かうに従って次第に狭くなるように形成し、
前記稜線部に相当する部位の裏面に、前記左右の側壁が成す角度が狭くなるのに応じて高さが増えるように構成した前記稜線部に沿った直線状の凸条と、当該凸条と直交する複数のリブを設けたことを特徴とする甲プロテクター。
【発明の詳細な説明】
【技術分野】
【０００１】
本発明は、靴の甲部に取り付けて当該甲部を保護する靴用甲プロテクターに関するものである。
【背景技術】
【０００２】
従来より、作業靴の甲部に装着し、当該甲部を落下物や他の衝撃から保護する甲プロテクターが知られている。特許文献１記載の甲プロテクターは、概ね靴の甲被部分の形状に沿って湾曲した板状体として形成されている。また、特許文献２記載の甲プロテクターも、概ね靴の甲被部分の形状に沿って湾曲した板状体として形成されている。
【先行技術文献】
【特許文献】
【０００３】
【特許文献１】特開平９−２８９９０２号公報
【特許文献２】特開２０１０−１４８８１８号公報
【発明の概要】
【発明が解決しようとする課題】
【０００４】
上記従来の甲プロテクターは、靴の甲部の保護を目的としつつ、歩行や作業の邪魔にならないよう甲部の表面形状に近似した形状を成している。すなわち、靴先方向から後方に向かって概ね同様なカーブを有するような湾曲面を有した表面形状を成したものである。そのため、甲プロテクターの表面中央部の形状は、前後方向に亘る全域において落下物による衝撃や荷重をそのまま受け止めやすいものとなっていた。
本発明は当該課題に鑑み発明されたものであって、落下物を表面に沿って移動しやすくすることにより、甲プロテクターに対する落下物の衝撃や荷重を靴に伝達しにくくした甲プロテクターを提供することを課題とする。
また、上記作用を有するとともに衝撃や荷重に対する強度を向上させた甲プロテクターの提供を課題とする。
さらに、上記作用を有するとともに歩行や作業の際に生じる足の屈曲を妨げることのない甲プロテクターを提供することを課題とする。
【課題を解決するための手段】
【０００５】
上記課題を解決するために、本願発明は以下の構成を有する。すなわち、
靴の甲部に装着する湾曲させた板状の甲プロテクターであって、
左右方向に亘ってゆるやかな弧状を成すように形成した先部と、
上面の中央付近に前記先部から後方の端縁に亘る稜線部を設け、
当該稜線部を中心とした左右の側壁が成す角度を、後方に向かうに従って次第に狭くなるように形成し、
裏面に前記稜線部に沿った凸条を設けたことを特徴とする甲プロテクター。
【０００６】
また、本願発明は以下の構成を有する。すなわち、
靴の甲部に装着する湾曲させた板状の甲プロテクターであって、
左右方向に亘ってゆるやかな弧状を成すように形成した先部と、
上面の中央付近に前記先部から後方の端縁に亘る稜線部を設けたことを特徴とする甲プロテクター。
【０００７】
また、本願発明は以下の構成を有する。すなわち、上記甲プロテクターであって、
前記稜線部は、後方に向かって次第に高くなるように形成されていることを特徴とする。
【０００８】
また、本願発明は以下の構成を有する。すなわち、上記甲プロテクターであって、
前記稜線部を中心とした左右の側壁が成す角度を、後方に向かうに従って次第に狭くなるように形成したことを特徴とする。
【０００９】
また、本願発明は以下の構成を有する。すなわち、上記甲プロテクターであって、
前記稜線部を中心とした左右の側壁が成す角度を、後方に向かうに従って次第に狭くなるように形成するとともに、
裏面に前記稜線部に沿った凸条を設けたことを特徴とする。
【発明の効果】
【００１０】
本発明に係る甲プロテクターは、靴の甲被を覆うように装着することにより落下物等から足の甲部を保護するものである。そして、当該甲プロテクターは、先部の形状を先芯を内蔵した靴先部の形状に適合するように左右方向に亘るゆるやかな弧状に形成しているので、靴先部に安定して装着することができるようになっている。
また、上面の中央付近に前記先部から後方の端縁に亘る稜線部を設けることで、落下物の衝撃や荷重をそのまま受け止めるのではなく、左右の側壁に沿って衝撃や荷重を逃がしやすい構造になっている。これにより、従来の甲プロテクターと比較して、足甲部の保護効果を向上させることができるようになっている。
また、稜線部を中心として形成される左右の側壁が成す角度を、後方に向かうに従って次第に狭くなるように形成している。これにより、先芯から遠い位置であるほど側壁の角度が狭くなり、甲プロテクターの表面に対して落下した物を側面に沿って逃がしやすくなっている。爪先に近い前方部分は、内蔵した先芯とオーバーラップさせることで、甲プロテクターに作用する荷重や衝撃の一部を強度の高い先芯の剛性によって受けることが出来るようになっている。これに対して、先芯から遠い位置では先芯によって受ける荷重や衝撃の割合が減るので、先芯から遠い後端ではできるだけ荷重や衝撃をそのまま受けずに側壁に沿って荷重や衝撃を逃がすようになっている。
さらに、甲プロテクターは板状体であるため、折り曲げて稜線部を形成すると、当該稜線部の裏側において甲被との間に空間が生じる。当該部位の裏面に凸条を設けることで、甲プロテクターを靴の甲被表面から見かけ上浮かせた位置に配置するとともに、甲プロテクターの移動を円滑にして歩行や作業姿勢を妨げないようになっている。
【図面の簡単な説明】
【００１１】
【図１】甲プロテクター本体の説明図である。
【図２】図１に示した各部位の断面図および背面図である。
【図３】甲プロテクターと落下物の関係を表した説明図である。
【図４】靴に装着した甲プロテクターの説明図である。
【図５】甲プロテクターを装着した靴の屈曲時の説明図である。
【発明を実施するための形態】
【００１２】
以下本発明を実施するための形態について、図を用いて説明する。各図において、１は本実施の形態に係る甲プロテクターを表している。当該甲プロテクター１は、所定の肉厚を有する外殻体を備えた甲プロテクター本体（以下「本体」という）２を有している。図１は本体２の説明図であり、図１（ａ）は側面図、図１（ｂ）は平面図、図１（ｃ）は背面図、図１（ｄ）は側面側から見た中央付近の断面図を表している。また、図２は図１（ｄ）に示したＡ−Ａ’線、Ｂ−Ｂ’線、Ｃ−Ｃ’線における断面図を表している。本体２は、ＡＢＳ樹脂、ポリカーボネイト等の強度の高い硬質の合成樹脂によって一体成型されている。
【００１３】
甲プロテクター１は、靴先を保護する先芯を内蔵した作業靴に装着することが多く、先芯によってカバーすることができない先芯の後方部分から足甲に亘る部分を広範囲に保護するものである。
本体２の前部は、前述したＡ−Ａ’線における図２（ａ）に示した断面形状を有している。Ａ−Ａ’線で示した部分は先芯の後方部分と上下方向において重なるように配置される部分であり、内面および外面ともに靴先付近の外周囲に沿う左右方向に亘るアーチ状の周壁を有するように形成されている。また、本体２の先端部分には、表裏貫通した細長い孔（スリット）３を２本設けており、当該孔３を利用して、ベルトにより靴先付近に取り付けるようになっている。
Ａ−Ａ’線における本体２の先部中央付近４は側面視において靴先付近と略平行を成している。また、本体２は当該先部中央付近４の後方部分（前記孔３の後方部分）を起点として後方に向かって傾斜部５を有している。
【００１４】
傾斜部５は、図２に示した各断面の頂部９を結ぶ稜線部６と、当該稜線部６を頂点として甲被の左右を覆う左側壁７および右側壁８を有している。なお、図示している甲プロテクター１は、左足用の靴に適用するように形成したものであり、右足用の靴に適用するものとは左右対称の形状に形成されるものである。以下、本実施の形態では、例として左足用の甲プロテクターについて説明する。
一般的に、足の甲の一番高い部分は親指側である足の中心よりも内側に有り、そのような形状に合わせて靴が形成されている。そして、甲プロテクター１も、そのような靴の形状に合わせて一番高い部分（頂部９）を結んだ稜線部６が、中心線よりも内側に偏った位置に配置されるように形成されている。左足用の靴に適合させた甲プロテクター１の場合、外側である左側壁７が内側である右側壁８よりも張り出したような形状になっており、一番高い稜線部６は中心線よりも内側に寄った位置に配置されている。
【００１５】
本体２表面の稜線部６を中心とした左側壁７および右側壁８の成す角度は、従来一般の甲プロテクターと異なっている。すなわち、左側壁７および右側壁８の成す角度が先部から後方に向かうに従って次第に鋭角を成すように形成されている。すなわち、図２に示したように、稜線部６の高さが、後方に向かうに従って次第に高くなるように形成されている。
左側壁７および右側壁８の下端縁１７はゆるやかに湾曲した縁部として形成されており、靴Ｋが静止した状態で上面および左右の側面を含むほぼ靴Ｋの甲被全体を覆う形状と大きさに形成されている。
【００１６】
左側壁７と右側壁８の両下端縁１７が対向した部分は、靴Ｋの甲部が入る部分であるので、靴の形状にあわせて間隔が定められる。当該間隔は、中間において若干の膨らみを有しているが、靴Ｋの前後方向において大きく変わらない。このため、稜線部６を中心とした左側壁７と右側壁８の成す角度を鋭角にした場合、角度が狭くなるほど稜線部６の位置が高くなる。
また、本体２の肉厚は全体に亘ってほぼ均一に形成されているので、稜線部６の位置が高くなるほど装着した靴Ｋの甲被表面とのすき間を大きくすることができる。このすき間を適切な間隔として維持するために、本体２の内面に凸条１０およびリブ１１を設けている。
【００１７】
本体２の前記稜線部６に相当する部位の内面には、前後方向に亘る１本の凸条１０と、当該凸条１０と直交するように設けた３個のリブ１１（１１ａ、１１ｂ、１１ｃ）が設けられている。
凸条１０と各リブ１１は本体２の裏面から靴側に突出した突出部であり、肉厚と同一程度の幅を有するとともに、それぞれの端面の高さが同一になるように形成したものである。中央に位置する凸条１０の高さ（裏面からの突出量）は、ほぼ左側壁７と右側壁８の成す角度に比例しており、角度が狭くなるのに応じて凸条１０の高さも増えるようになっている。
【００１８】
凸条１０は本体２の内面に稜線部６に沿って直線状に設けられており、その下端１２は先部中央付近４から僅かに後方の部分に設けられている。下端１２から上方に亘って設けられた凸条１０は、本体２の上端縁１３から数センチメートル下方の位置に設けたリブ１１ｃの位置まで設けられている。また、次第に高くなる凸条１０に合わせて、リブ１１の高さも高くなっている。すなわち、リブ１１ａ、リブ１１ｂ、リブ１１ｃの順序で高くなっている。
前述したように最上部に配置されるリブ１１ｃと本体２の上端縁１３との間には数センチメートル（２〜３ｃｍ）の距離を設けている。このため、リブ１１ｃと上端縁１３の間には、靴と本体２との間にリブ１１ｃの高さに相当する空間１４が設けられている。
【００１９】
図２は、図１（ｄ）に示したＡ−Ａ’線、Ｂ−Ｂ’線、Ｃ−Ｃ’線における各断面を表したものであるが、図示しているように靴先方向から足甲に向かって表面の稜線部分の角度が次第に狭くなっている。
Ａ−Ａ’線で示した部位は、靴先に収容した先芯１５の後端と上下方向において見かけ上重なる部分であり、当該部位に危険物が落下した場合には本体２と先芯１５が協同して危険物の荷重に耐えることになる。先芯１５は、剛性の高い鋼若しくは樹脂によって高い強度を発揮するように形成されている。したがって、当該部位は、本体２に作用した荷重を先芯１５によって支えるようになっており、落下物に対する強度が高い部位となっている。
【００２０】
本体２は、後方に向かうほど先芯１５から遠ざかるため、本体２単体の強度によって落下物等の荷重に耐える必要がある。このために前述した凸条１０および各リブ１１ａ、１１ｂ、１１ｃを裏面に設けて本体２が破壊や極端な変形を起こさないよう補強している。
また、前述したように、本体２の表面形状は先部から足甲に向かって表面の稜線部分の角度が次第に狭くなっている。これは、図３に示した例のように、本体２の表面に落下した落下物Ｆを稜線部分の左右の側壁面に沿って滑らせる作用を有している。左側壁７および右側壁８の角度が垂直に近いほど落下物を滑らせやすくなるが、角度が急すぎると稜線部６が高くなりすぎて、歩行の際に頂部が足にぶつかるほど大きい甲プロテクターになってしまう。
本実施の形態における甲プロテクターは、先芯から最も遠い後端部における左側壁７と右側壁８の成す角度が約５０°前後の角度となるように形成しており、この部分における左側壁７と右側壁８が交わる稜線部分を１５〜２０ｍｍ程度の半径を成すような湾曲した凸部として形成している。
【００２１】
従来一般の甲プロテクターは、中央部を突出させて側壁を左右に分けるような稜線の無い単純な円弧状の表面形状を有するものである。したがって、甲プロテクター上に落下物があると、落下物が甲プロテクター上を滑り落ちることなく、その衝撃や荷重がそのまま甲プロテクターに作用する。そのため、落下物による衝撃や荷重を甲プロテクターを介して足の甲部で受け止めるものとなっていた。
これに対して本願発明に係る甲プロテクター１は、落下物を左右に逃しやすい形状を有しているので、落下物の衝撃や荷重を足の甲部で受け止めにくいものとなっている。
【００２２】
図４は、靴Ｋに取り付けた甲プロテクター１の状態を表した説明図である。図４（ａ）は甲プロテクター１を取り付けた靴Ｋの側面図、図４（ｂ）は、靴Ｋと取り付けた甲プロテクター１の断面図を表している。
本願発明に係る甲プロテクター１は、表面上に隆起させた稜線部６を設けることによって生じた裏面の空間に、前後方向に亘る１本の凸条１０およびこれと直交する複数のリブ１１を設けている。この凸条１０およびリブ１１は、靴の甲被部分と接触することで寸法管理された空間を形成するスペーサーとして機能し、靴の甲被との間に空間を形成した甲プロテクター１の姿勢を維持するようになっている。
本実施の形態では、靴Ｋに対する甲プロテクター１の取付を、靴Ｋの靴先に取り付けた細幅のベルト１６によって行っている。甲プロテクター１の先端付近には前述したスリット３が設けられており、当該スリット３にベルト１６を挿通し固定するようになっている。なお、スリット３に加えて、甲プロテクター１の動作を妨げない程度に他の部位と靴Ｋを結合しても差し支えがない。
【００２３】
羽根と呼ばれる左右の覆いを靴紐で編み上げるタイプの靴の場合、本体２の裏面に設けた凸条１０およびリブ１１は、図示しているように交差する靴ひもと当接するような状態になる。
歩行や作業によって靴先が屈曲すると、靴Ｋと足Ｌは図５に示すような状態になる。すなわち、拇指球付近の靴底を中心として踵が持ち上がり、甲被部分が前傾するように起立する。この際、甲プロテクター１も甲被部分に押されて前傾する。
【００２４】
靴Ｋに対する甲プロテクター１の取り付けは、靴先に固定した細幅のベルト１６に先端部分を結合することで行っている。甲プロテクター１のスリット３にベルト１６を挿通することによって甲プロテクター１を取り付け、ベルト１６の可撓性によって甲プロテクター１を回動可能としている。
甲プロテクター１の前傾（回動）は、靴Ｋの甲被部分による押圧によって行われるものであるが、甲プロテクター１を持ち上げるのは、前記靴紐を有する靴の場合には主として本体２の裏面に設けた凸条１０およびリブ１１に当接する甲被の靴紐部分である。
そして、前記凸条１０およびリブ１１とこれらに接触している靴紐部分は、甲被部分の前傾に伴って当接位置が移動する。すなわち、靴紐部分と凸条１０が擦れ合いながら本体２を持ち上げるようになっているので、接触位置の移動がスムーズに行われないと本体２の回動にも支障が生じ靴の屈曲動作も妨げられることになる。
【００２５】
しかしながら、本体２の裏面に設けた凸条１０は、擦れ合い方向に沿った当接面を有するレールのような当接部位を構成するため、靴紐部分が不規則な凹凸形状を成していても、沈み込んだり食い込んだりすることがない。その結果、本体２は靴紐上をスムーズに移動し、靴の屈曲動作に応じて抵抗無く回動することができるようになっている。
また、本体２の上端縁部分と靴の甲被部分には空間１４が設けられている。すなわち、前記凸条１０を上端縁１３まで延長せずに、数センチメートル（２〜３ｃｍ）の距離を設けている。この空間１４は、足Ｌの運動を妨げないようにするために、足Ｌを本体２に接触させないために設けた空間である。この空間によって、足甲部を保護しつつ、足Ｌの前方への傾動を阻害しないようになっている。
【産業上の利用可能性】
【００２６】
本発明は、落下物や衝撃から靴の甲部を保護する甲プロテクターに利用可能である。
【符号の説明】
【００２７】
１  甲プロテクター
２  甲プロテクター本体
３  孔（スリット）
４  先部中央付近
５  傾斜部
６  稜線部
７  左側壁
８  右側壁
９  頂部
１０  凸条
１１（１１ａ、１１ｂ、１１ｃ）  リブ
１２  下端
１３  上端縁
１４  空間
１５  先芯
１６  ベルト
１７  下端縁
Ｋ  靴
Ｌ  足
【図１】
0005909752.tif 000002
【図２】
0005909752.tif 000003
【図３】
0005909752.tif 000004
【図４】
0005909752.tif 000005
【図５】
0005909752.tif 000006